(57)【特許請求の範囲】
【請求項１】
ほぼ弧形短冊状のブランク１をその長さ方向に丸め、その端部１ａ同士を接着部２で接着して中空円錐台形のカップ側筒３を作り、その小径周辺３ａの内周面に底紙４を接合したカップにおいて、前記カップ側筒３の周面には凸部３Ａを形成し、かつ、この側筒３の小径周辺３ａを部分的に満遍なく内側に絞り込んで先細周面５を形成し、その余長周面部５ａを存して先細周面５内に丸皿状の底紙４の周面４ａを下向きにして接面定位するとともに、前記余長周面部５ａで底紙周面４ａを外から内側に包み込んで折り返し、この折り返し部６をさらに底紙周面４ａと共に内向きに折り曲げ重ね潰すことで、重ね潰し接合部７を形成して前記カップ側筒先細周面５の端部に底紙４を接合した加熱加工食品用カップ。
【請求項２】
ほぼ弧形短冊状のブランク１をその長さ方向に丸め、その端部１ａ同士を接着部２で接着して中空円錐台形のカップ側筒３を作り、その小径周辺３ａの内周面に底紙４を接合したカップにおいて、前記カップ側筒３の周面には凸部３Ａを形成し、かつ、この側筒３の小径周辺３ａを部分的に満遍なく内側に絞り込んで先細周面５を形成し、その端部周面５ｂ内に丸皿状の底紙４の周面４ａを前記端部周面５ｂの端縁に向けて接面定位するとともに、この端部周面５ｂと前記底紙周面４ａとを合わせてこれら各周面をその中間部で折り返し、この折り返し部６と前記底紙４との間における前記先細周面５と底紙周面４ａとを合わせて内向きに折り畳み重ね潰すことで、重ね潰し接合部７を形成して前記カップ側筒先細周面５の端部周面５ｂに底紙４を接合した加熱加工食品用カップ。
【請求項３】
前記カップ側筒３にミシン目状切断線ｍを設けた請求項１または請求項２に記載の加熱加工食品用カップ。
【請求項４】
前記接着部２に弱点部を設け、この弱点部に連接したカップ側板端部に摘み片Ｐを突設してなる請求項１から請求項３までに記載の加熱加工食品用カップ。
【請求項５】
前記底紙４に通気部を設けてなる請求項１から請求項４までに記載の加熱加工食品用カップ。
【発明の詳細な説明】
【０００１】
【発明の属する技術分野】
この発明は、下細のカップ側筒がクラフト紙などの下級洋紙やプラスチックシート製の加熱菓子用紙カップの改良に関する。
【０００２】
【従来の技術】
飲料用カップは、その側筒が紙製のものとプラスチック製のものが多く、紙製カップでは、紙繊維の形状（長さ、太さ）が揃い、しかもその繊維が均斉に存在するように、紙カップ用として特別に抄造した“カップ原紙”という紙厚２２５ｇ／ｍ２  以上のものを用いる。
焼き菓子用紙カップは、“カップ原紙”に比べ極めて粗質なクラフト紙、つまり４０〜１５０ｇ／ｍ２  という薄く、しかも表面が粗く、均度小で引き破り易い下級洋紙やプラスチックシートを用いる。
【０００３】
すなわち、紙カップ用として不向きの下級洋紙やプラスチックシートを焼き菓子用紙カップ側筒に使う理由としては、クラフト紙などの下級洋紙は組織繊維の長さが長いため、特に耐熱性に優れていることと、薬品処理による晒加工を施していない未晒クラフト紙やポリエチレンテレフタレート所謂ＰＥＴは食品衛生的にも好ましいことと、菓子種中の油脂分の加熱中に容器用紙中への流入油脂による透明化部分のムラが未晒クラフト紙やＰＥＴシートでは、目立たないということとが主な理由である。
【０００４】
そして下級洋紙で作った従来の焼き菓子用紙カップ（紙製容器）としては、登録実用新案第３０１８１３２号公報記載のものが有る。
この従来例は、図６に示すように、ほぼ弧形短冊状の紙からなるブランク１をその長さ方向に丸め、その端部１ａ同士を接着部２で接着して中空円錐台形のカップ側筒３を作り、その小径周辺３ａの内周面に底紙４を接合した紙カップを作るに当り、前記カップ側筒３の小径周辺３ａ内に、その余長周面部３Ａを存して丸皿状の底紙４の周面４ａを図７（ａ）のように接面定位するとともに、前記余長周面部３Ａで底紙周面４ａを図７（ｂ）のように外から中に包んで折り返し、この折り返し部６をさらに底紙周面４ａと共に図７（ｃ）のように内向きに折り曲げ重ね潰して重ね潰し接合部７とすることで、前記カップ側筒３の小径周辺３ａの端部に底紙４を接合した熱加工ケーキ用紙カップＣの底筒と底板との結合構造である。
【０００５】
【発明が解決しようとする課題】
この従来例における前記丸皿状の底紙４の周面４ａは、その量産時に円形底紙の周辺を立ち上げるための上下の絞りダイに挟んで絞り込み形成したものであるため、底紙周面４ａには、円形底紙周辺部の内径・外径差に基づく多くの縦ジワが生じ、これら縦ジワ同士が部分的に折り重なる結果、縦ジワ重合による凹凸部が多数個所に生じる。
また、この凹凸部の他に、前記折り重ね接合部７の形成に基づく多重紙の剛性によるシワ寄せ作用により、カップ側筒３の下端周面に多数の縦ジワ重合の凹凸部が生じる。
【０００６】
これら凹凸部は、上記底紙周面４ａの高さが底紙厚の１０〜２０倍（約１〜２ｍｍ）以内の比較的に低い場合は目立たず問題ないが、側筒３の小径端内周面に対し、底紙周面４ａの接合強度を増すべく、その高さを底紙厚の３０〜５０倍の高さ約３〜５ｍｍに設定した場合には、上記底紙周面４ａの前記多数の凹凸部や折り重ね接合に基づく前記凹凸部による０．１〜０．３ｍｍ程の食み出し突部８が図６のように底紙４の周辺における側筒３の下部外周面に多数発生する。
【０００７】
したがって、これらカップ側筒３の食み出し突部８が有るカップＣの多数を図８のように重積（スタッキング）して出荷した後、ユーザがカップ重積体からカップＣを一つずつ引き抜き分離する際に、前記食み出し突部８がその外側のカップの内面に図７のように０．１〜０．３ｍｍ程食い込んでしまっているためと、各側筒同士が面接触してしまっているため、各側筒の間に空気が入り込みづらいこととにより、カップの単品分離が極めて実行しづらく、その作業性を著しく阻害していたという本質的かつ、重大な問題点が有る。
【０００８】
また、前記従来例のほかに、カップ側筒に凹凸を設けて少しでもカップ重積体からカップ単品を分離し易くした従来例として、本願出願人が先に提案した登録実用新案第３０４６２８９号公報記載のもののように、ロール紙または枚葉紙に所定の襞、絵柄、文字などの凹凸模様を浮き出し、打ち抜いた扇形のブランクの両側端をノリ付けし、中空円錐筒形に成形した周壁（カップ側筒）と、この周壁の底部に挿入した底板とを有したカップの内部に混捏した菓子たねを収容した状態で、焼きまたは蒸し加工して菓子と一体に製品となる熱加工菓子用のカップも周知である。
【０００９】
ところが、この従来例においても、カップ側筒と底紙との接合部外面には、依然として多数の突部が出来てしまうので、この突部による単品分離の困難性は未だに解決できなかったという問題点が有る。
【００１０】
この発明は、前記した各問題点を除去するために、上広がりのカップ側筒の小径周辺を満遍なく内側に絞り込んで先細周面を形成するとともに、この周面の内面に配した丸皿状の底紙の周面をカップ側筒先細周面と共に折り重ねて潰し接合することで、前記先細周面の端部外面に多数の食み出し突部が有っても、これら多数の食み出し突部をその外側に重合したカップ内面に接触しなくすることと、先細周面と側筒周面凸部により、隣接カップ側筒同士の接触面積を減じて側筒同士の接触摩擦抵抗を減少させることと、側筒に形成した凸部による側筒同士のスキマから側筒同士の間に空気を入り込ませることとにより、多数のカップの重積体からカップ単品を一つずつ分離し易くすることを目的とする。
【００１１】
【課題を解決するための手段】
上記したこの発明の目的は、下級洋紙やプラスチックシートをほぼ弧形短冊状に形成したブランクをその長さ方向に丸め、その端部同士を接着部で接着して中空円錐台形のカップ側筒を作り、その小径周辺の内周面に底紙を接合した紙カップを作るに当り、前記カップ側筒の周面には、凸部を形成し、かつ、この側筒の小径周辺を部分的に満遍なく内側に絞り込んで先細周面を形成し、その余長周面部を存して先細周面内に丸皿状の底紙の周面を下向きにして接面定位するとともに、前記余長周面部で底紙周面を外から内側に包み込んで折り返し、この折り返し部をさらに底紙周面と共に内向きに折り曲げ重ね潰すことで、重ね潰し接合部を形成して前記カップ側筒先細周面の端部に底紙を接合したことで達成できた。
【００１２】
なお、前記先細周面の端部周面内に丸皿状の底紙の周面を前記端部周面の端縁に向けて接面定位するとともに、この端部周面と前記底紙周面とを合わせてこれら各周面をその中間部で折り返し、この折り返し部と前記底紙との間における前記先細周面と底紙周面とを合わせて内向きに折り畳み重ね潰すことで、重ね潰し接合部を形成してもよい。
【００１３】
【発明の実施の形態】
本発明の実施の形態例について図面を参照して説明する。
先ず、この発明の基本形態は、図１、図２に示すように、４０〜８０ｇ／ｍ２  程度の薄手クラフト紙などの下級洋紙または、ＰＥＴシートなどのプラスチックシートを加熱プレス加工とか凹凸ローラ加工などの周知手段で所望数の縦線状凸部を形成した後、ほぼ弧形短冊状に形成したブランク１をその長さ方向に図１のように丸め、その端部１ａ同士を糊料または、ヒートシールによる接着部２で接着して中空円錐台形で、外周面または内周面に上記ブランク１の凸部による所望数の縦線状凸部３Ａを有するカップ側筒３を作る。
そして、これを図１のように必要に応じ十文字やＶ字形の通気性スリット４Ａや通気小孔４Ｂによる通気部を形成した丸皿状の底紙４を図３（ａ）のように上向きに載置した二段上細の円錐台形のマンドレルＭに被せる。
【００１４】
その後、前記カップ側筒３の小径周辺３ａを手指または図３（ａ）のような逆丸皿状の加熱回転押圧体などの押しダイＤ１でマンドレルＭの上部先細周面Ｍ１に沿わせ部分的に内側に絞り込んで図３（ｂ）に示すようなカップ側筒３よりも内側に２°〜５°傾斜した先細周面５を形成するとともに、この周面５の上部には底紙４の立上げ周縁から２〜４ｍｍ突き出た余長周面部５ａを残存させておく。
【００１５】
次いで、上記余長周面部５ａで底紙周面４ａを同図３（ｃ）のように下面に折り絞り用凹所ｄ2 が有る押しダイＤ２で外から中に包み込んで同図３（ｄ）のように紙やプラスチック固有の剛性に抗して折り返し、この折り返し部６をさらに底紙周面４ａと共に内向きに同図３（ｅ）のように押し潰しダイＤ３で紙やプラスチックシートの剛性に抗し折り曲げ重ね潰すことで、同図（ｅ）のような重ね潰し接合部７を形成して、前記カップ側筒先細周面５の端部に底紙４を接合した後、必要に応じ同図３の（ｆ）のような中央突部Ｍ２が有るマンドレルＭと上記突部Ｍ２に対応した凹部ｄ4 が有る押しダイＤ４で底紙４を外向きに膨出させ、かつ、側筒３の外周面または内周面あるいは両面に縦線状の凸部３Ａを突設した図１および図２に示すような本発明による加熱加工食品用カップＣを構成できる。
【００１６】
なお、この発明による前記カップ側筒３の小径周辺３ａを部分的に満遍なく内側に絞り込んで先細周面５を形成し、その端部周面５ｂ内に丸皿状の底紙４の周面４ａを前記端部周面５ｂの端縁に向けて接面定位するとともに、この端部周面５ｂと前記底紙周面４ａとを合わせてこれら各周面をその中間部で折り返し、この折り返し部６と前記底紙４との間における前記先細周面５と底紙周面４ａとを合わせて内向きに折り畳み重ね潰すことで、図４に示すような五重断面構造の重ね潰し接合部７を形成して前記カップ側筒先細周面５の端部周面５ｂに底紙４を接合してもよい。
また、側筒ブランク１がＰＥＴシートの場合には、ヒートシール接着し易くするため、加熱接着性樹脂等を予じめシートにコーティングまたはラミネート接着させておく。
【００１７】
そして、前記カップＣの多数を図５のように重積した場合、底紙周辺における側筒先細周面５の端部に前記底紙周面４ａの凹凸部や折り重ね接合による食み出し突部８が有っても、先細周面５の上縁５Ａよりも底紙周面対向部分における先細周面５の端部の方が小径のため、上記先細周面５の付近の食み出し突部８は、その外側のカップ内面に同図５のように接することがなく、しかも先細周面５と側筒凸部３Ａとによる隣接カップ側筒同士の接触面積の減小に伴なう側筒同士の接触摩擦抵抗の減少により、また、各側筒３同士の間に上記凸部３Ａによる間隙から空気が入り込むことにより、カップ重積体からカップ単品を１個ずつ容易に引き出し取出すことができた。
【００１８】
また、本発明によるカップＣ内に菓子種を入れても、底紙４の通気性スリット４Ａや通気小孔４Ｂからは菓子種が漏出することがなく、そのまま炉内で焼成するか、または蒸し釜で蒸すと菓子種が加熱膨脹すると共に、菓子種中の小麦デンプンがアルファ化して食用可能な焼菓子または蒸し菓子となるが、この際前記重ね潰し接合部７は、紙やプラスチックシート固有の剛性に抗して強固に折り重ね潰して有るので、上記接合部７は、妄りに接合が戻ったり変形することがない。
【００１９】
すなわち、カップＣ内の菓子種、つまり「ドウ」の大半を占める小麦デンプンは、６０℃以上の加熱で糊化し、カップの内壁から底紙をも糊着し固化する。
カップ側筒３を形成するため、側筒ブランク１の両端を貼り合わせる接着部２は、小麦デンプンが熱により糊化する以前の膨張による膨張圧を受けるので、この部分の接着には充分意を注ぐ必要があるが、側筒下部と底紙４との接合部付近や、通気性スリット４Ａや通気小孔４Ｂによる１〜３ｍｍ程度以下のスキマがあっても、ドウの填入時、あるいは填入後の加熱糊化等により、上記スリット４Ａや小孔４Ｂからドウが漏出する懸念はない。
【００２０】
また、カップＣ内に菓子種以外の例えばグラタン生地や麺類等を入れて、カップＣ内で、加熱調理するようにしてもよい。
なお、図１における符号ｍで示す部分は、ミシン目状切断線であり、また、同図中符号Ｐで示す部分は、カップＣをその接着部２から周方向に千切って引き剥し易くするための引き剥し用摘み片であり、さらに、前記各図におけるカップＣの紙厚は分り易くするため拡大誇張してある。
【００２１】
【実施例】
カップＣの高さを６０ｍｍとし、その開口角度をカップ中心線に対して約７度とすると共に、先細周面５の斜辺長さを約８ｍｍ、その内向き角度をカップ側筒３に対し約３度とした図２の例では、カップ底紙４の周縁部に対向した前記先細周面５の下端周面がその上縁５Ａに接した外側のカップ側筒３の内面に対して、８ｍｍ×sin ３°＝０．４２ｍｍだけ小径となっているから、底紙４の周辺における前記先細周面５の下端周面付近に多数の食み出し突部８が有っても、各突部８の食み出し高さが、上記０．４２ｍｍ以内であれば、図５のようにこれら多数の突部８は、その外側のカップ側筒３の内面に接触せず、しかも、カップ先細周面５と側筒凸部３Ａとに対応したカップ側筒３同士の接触面積の減小による隣接カップ同士の接合摩擦抵抗の減少により、カップ分離が、さらに容易となった。
【００２２】
なお、底紙４は、図２の鎖線で示すように、重ね潰し接合部７の上縁と面一またはそれよりも若干高く形成してもよく、これら底紙４の形状に応じて菓子種等の種類・粘度や焼成等加熱温度を適宜選定することができる。
また、側筒周面の凸部３Ａの数は、一本または一つ以上有ればよく、その形状も図示の縦線多数配列以外に多数のドット配列としたり、縦・横・斜めの井桁模様・ジグザグ状や、任意の図柄・記号の形状とか、クレータ状の凹凸部３Ａとしたりして、種々変形変更でき、その幅や高さは、前記スタッキングした側筒３同士間に空気が入り込める寸法であれば、任意の幅や高さの凸部でよく、その形成手段も側筒３を作ってから周知手段で所望数の凸部３Ａを形成することができる。
さらに、底紙５に前記のように通気スリット５Ａや通気小孔５Ｂによる通気部を設ければ、カップ重積体の各カップ底紙同士の間に空気が一層入り込み易くなるので、カップ分離がより一層容易となる。
【００２３】
【発明の効果】
この発明は、以上のような形態を採用したので、以下に記載の効果を奏する。
本発明における請求項１から請求項４までの各発明によれば、下級洋紙やプラスチックシートをほぼ弧形短冊状に形成したブランク１をその長さ方向に丸め、その端部１ａ同士を接着部２で接着して中空円錐台形のカップ側筒３を作り、その小径周辺３ａの内周面に底紙４を接合した紙カップを作るに当り、前記カップ側筒３の周面には、凸部３Ａを形成し、かつ、この側筒３の小径周辺３ａを部分的に満遍なく内側に絞り込んで先細周面５を形成し、その余長周面部５ａを存して先細周面５内に丸皿状で通気性を有する底紙４の周面４ａを下向きにして接面定位するとともに、前記余長周面部５ａで底紙周面４ａを外から中に包み込んで折り返したり、先細周面５の端部周面５ｂと底紙立上げ周面４ａとを合せて内側に折り返して、これらの折り返し部６をさらに底紙周面４ａと共に内向きに折り曲げ重ね潰すことで、重ね潰し接合部７を形成して前記カップ側筒先細周面５の端部に底紙４を強固に接合することができた。
【００２４】
したがって、上記発明によれば、上広がりのカップ側筒３の下側をさらに絞り込んだ先細周面５の外面に底紙立ち上げ周面４ａの絞り縦ジワ重合による凹凸部や折り重ねに基づく前記食み出し突部８が有っても、これら多数の食み出し突部８をその外側に重合したカップ内面に接触しなくすることができ、しかも、上記先細周面５と側筒凸部３Ａとによる隣接カップ同士の接触面積の減小化に伴ない、各カップ間の摩擦抵抗を小さくすることもでき、さらに、各側筒３同士の間に側筒周面凸部３Ａによる間隙部を経て空気を入り込ませることができるので、多数のカップの重積体からカップ単品を一つずつ分離し易くすることができたという効果が有る。
【００２５】
請求項３と４の各発明では、上記諸効果に加えてカップ側筒３を手指で千切り易くすることができ、カップ内食品を容易に露出させて、より一層食し易くすることができた。
請求項５の発明では、底紙４の通気部から底紙同士の間にも空気が入り込み易くなったので、カップ重積体からカップ単品を、より一層離し易くできた。
【図面の簡単な説明】
【図１】本発明による加熱加工食品用カップの実施形態の一例を示す斜視図
【図２】本発明によるカップの例を示す拡大縦断立面図
【図３】本発明によるカップの製造過程の一例を示す縦断立面図
【図４】本発明の他の実施形態の一例を示すカップの縦断立面図
【図５】本発明によるカップの多数を重積した例を示す拡大縦断立面図
【図６】従来の紙カップの例を示す縦断立面図
【図７】従来の紙カップの作り方の例を示す要部断面図
【図８】従来の紙カップの多数を重積した例を示す拡大縦断立面図
【符号の説明】
１    側筒ブランク
１ａ  側筒ブランクの端部
２    接着部
３    カップ側筒
３Ａ  カップ側筒の周面に形成した凸部
３ａ  カップ側筒の小径周辺
４    丸皿状の底紙
４ａ  底紙の周面
４Ａ  底紙に形成した通気性スリット
４Ｂ  底紙に形成した通気小孔
５    カップ側筒の先細周面
５Ａ  カップ側筒の先細周面の上縁
５ａ  カップ側筒の余長周面部
５ｂ  先細周面の端部周面
６    折り返し部
７    重ね潰し接合部
８    カップ側筒の食み出し突部
ｍ    ミシン目状切断線
Ｐ    引き剥し用摘み片
Ｃ    カップ
Ｍ    上部先細周面付円錐台状マンドレル
Ｍ１  上部先細周面付円錐台状マンドレルの上部先細周面
【図１】
0004517209.tif 000002
【図２】
0004517209.tif 000003
【図３】
0004517209.tif 000004
【図４】
0004517209.tif 000005
【図５】
0004517209.tif 000006
【図６】
0004517209.tif 000007
【図７】
0004517209.tif 000008
【図８】
0004517209.tif 000009